【手続補正書】
【提出日】平成15年10月28日(2003.10.28)
【手続補正１】
【補正対象書類名】明細書
【補正対象項目名】０００１
【補正方法】変更
【補正の内容】
【０００１】
【産業状の利用分野】この発明は筒型外囲器内に感温ペレットを収容しこれにスプリングを作用させて所定温度で回路を遮断または導通状態にする感温ペレット型温度ヒュ−ズ、特に感温ペレットに用いる感温材料を選定してペレットの加工および耐久性を改良した感温ペレット型温度ヒュ−ズに関する。


【手続補正２】
【補正対象書類名】明細書
【補正対象項目名】０００３
【補正方法】変更
【補正の内容】
【０００３】
非導電性の感温ペレットを使用する感温ペレット型温度ヒュ−ズは、通常、筒型外囲器の両端にリ−ドを取付け、外囲器内に所定の溶融温度を有する有機化学薬品を所定形状に成形加工した感温ペレットを収容し、これに圧縮ばねなどで可動導電体に押圧を作用させて構成されている。たとえば、外囲器がガラス管でその管内の一部分に一対の導電膜を形成し、この管内に感温ペレット、通電位置と遮断位置間を移動可能な可動導電体、およびこの可動導電体に絶縁体を介在して押圧する圧縮ばねを順次挿入した構造の温度ヒュ−ズがある（特開平１０−１７７８３３号公報参照）。また、筒型外囲器に金属ケ−スを用い、一方の開口側のリ−ドをかしめ固定し、他方の開口側のリ−ドを絶縁ブッシングを介在して固定し、この金属ケ−ス内に感温ペレットを２枚のばね板間に挾み込み、常温時にはばね板をケ−ス内壁面に接触させる簡素化構造の温度ヒュ−ズがある（特開平５−３０７９２５号公報参照）。さらには、一方に導出リ−ドと電気的に接続した金属ケ−ス内に弾性体、感温ペレット、金属片、ばね可動片および封じセラミックを順次挿入し、セラミックに他方のリ−ドを貫通配置した温度ヒュ−ズも知られている（特開平９−２８２９９２号公報参照）。特に、スプリング部材として強圧縮ばねと弱圧縮ばねとを使用して可動接点体に押圧力を作用させて動作温度時の移動を確実にする公知の温度ヒュ−ズも知られている（特開平５−１３５６４９号、特開平１１−１１１１３５号公報参照）。


【手続補正３】
【補正対象書類名】明細書
【補正対象項目名】０００８
【補正方法】変更
【補正の内容】
【０００８】
本発明の別の実施形態としては、所定の温度で溶融する熱可塑性樹脂からなる感温ペレットと、この感温ペレットを収容する筒状金属ケ−スと、この金属ケ−スの一端開口側にかしめ固定して取付けられてケ−ス内壁面を第１電極とする第１リ−ド部材と、この金属ケ−スの他端開口側に装着した絶縁ブッシングと、この絶縁ブッシングを貫通させてその先端部を第２電極とする第２リ−ド部材と、第１電極と第２電極間に配置された導電性および弾性を有して長手方向に延びる２枚の舌片状平板を具備し、この２枚の舌片状平板間に感温ペレットを挾み込んで平板の裏面をケ−ス内壁面に接触させた温度ヒュ−ズが挙げられる。さらには、筒状絶縁管に感温ペレットを収容して、第１および第２リ−ド部材をこの絶縁管の開口側にそれぞれ固定すると共にこれらのリ−ド部材と電気的に接続された第１および第２電極をそれぞれケ−ス内壁面の一部に形成し、これら第１電極と第２電極の通電位置から遮断位置に移動可能な導電体を絶縁管に収容し、これを絶縁管の一端側に配置されたスプリングにより絶縁体を介して導電体を感温ペレットに押圧する感温ペレット型温度ヒュ−ズも開示する。


【手続補正４】
【補正対象書類名】明細書
【補正対象項目名】０００９
【補正方法】変更
【補正の内容】
【０００９】
【実施例１】図１および図２は本発明に係る実施例の感温ペレット型温度ヒュ−ズで、それぞれ常温の平常時と異常加熱した動作時の温度ヒュ−ズの部分断面図を示す。この感温ペレット型温度ヒュ−ズは、銅、黄銅などの良導体で熱伝導性良好な円筒状金属ケ−ス１と、その一方の開口側にかしめ固定した第１リード部材２と、この金属ケ−ス１内に収容された感温ペレット３、一対の押圧板４、５、強圧縮ばね６、良導電性で適度の弾性を有する銀合金の可動接点体７および弱圧縮ばね８を含むスイッチ機能部品と、金属ケ−ス１の他方の開口に挿入された絶縁ブッシング９と、この絶縁ブッシング９を貫通して金属ケ−ス１から絶縁配置された第２リ−ド部材１０とを具備して構成される。さらに、１１は第２リ−ド部材１０の内方先端で、図１の常温時状態Ａでは可動接点体７と接触し、図２の異常温度上昇状態Ｂでは離隔している固定接点である。また、１２は金属ケ−ス１の開口と絶縁ブッシング９と第２リ−ド部材１０とを封止する封止樹脂である。そして、１３は封止樹脂１２を金属ケ−ス１の開口に十分に盛り上げて封止させるための絶縁碍管である。ここで、感温ペレット３は熱可塑性樹脂を主材料として成形加工したものであり、温度ヒュ−ズの所定の動作温度で溶融する材料を選択して用いられる。この感温ペレット３の材質について詳述すると、熱可塑性樹脂は汎用プラスチックやエンジニアリングプラスチックであり、ポリエチレン（ＰＥ）、ポリプロピレン（ＰＰ）、ポリスチレン（ＰＳ）、ポリビニ−ルアルコ−ル（ＰＶＡ）、ポリ塩化ビニリデン（ＰＶＤＣ）、ポリエチレンテレフタレ−ト（ＰＥＴ）等の汎用熱可塑性樹脂、あるいはポリアミド（ＰＡ）、ポリアセタ−ル（ＰＯＭ），ポリカ−ボネ−ト（ＰＣ）、ポリブチレンテレフタレ−ト（ＰＢＴ）、ポリ弗化ビニリデン（ＰＶＤＦ）、ポリフェニレンサルファイド（ＰＰＳ）、ポリアミドイミド（ＰＡＩ）、ポリイミド（ＰＩ）、ポリテトラフロロエチレン（ＰＴＦＥ）等のエンジニアリング熱可塑性樹脂から所定の動作温度に対応する融点を有し、必要に応じて所望される物理化学的性質を有する材料を選択して使用される。具体的には、動作温度が１６５℃であればこれと同じ温度の融点をもつポリアセタ−ル（ＰＯＭ）樹脂が選択され、また、動作温度が２２０℃であればこれに近い融点温度を有するポリブチレンテレフタレ−ト（ＰＢＴ）樹脂が選択される。本発明の特徴は熱可塑性樹脂の感温ペレットを用いる温度ヒュ−ズであるが、使用する熱可塑性樹脂の物理化学的諸特性に応じて所望する特性の改善策を講ずる。たとえば、酸化や老化しやすい化学的特性の場合には酸化防止剤や老化防止剤を、また、ペレット加工や加工後のペレットの機械的硬度や電気的絶縁性に関する物理的特性に問題があれば無機物質のフィラを添加する。フィラ充填は電気抵抗値や絶縁性を改善するのに有利である。熱可塑性樹脂を用いる本発明の感温ペレットの特色は、従来の有機化学薬品ペレットに比べて強度が高くペレット加工が容易になることである。加えて、有機化学薬品ペレットでしばしば問題となる高温高湿下での軟化変形や水分による潮解、あるいは昇華等が、熱可塑性樹脂ペレットではほとんど発生しないことである。したがって、経時変化でのペレットの縮小化とそれに伴うスイッチ機能の不具合を解消できる。


【手続補正５】
【補正対象書類名】明細書
【補正対象項目名】００１０
【補正方法】変更
【補正の内容】
【００１０】
【実施例２】本発明に係る別の実施例として、熱可塑性樹脂の感温ペレット使用した簡素化構造の温度ヒュ−ズについて説明する。この温度ヒュ−ズは、前述する実施例と同様に、所定の動作温度で溶融する熱可塑性樹脂からなる感温ペレットと、この感温ペレットを収容する筒状金属ケ−スと、この金属ケ−スの一端開口側にかしめ固定して取付けられてケ−ス内壁面を第１電極とする第１リ−ド部材と、この金属ケ−スの他端開口側に挿入して装着固定した絶縁ブッシングと、この絶縁ブッシングを貫通し先端部を第２電極とする第２リ−ド部材とを具備し、さらに可動導電体部材とスプリング部材の両機能を奏するように感温ペレットを挾み込む２枚の平板ばねを具備させて、このばねを金属ケ−スの内壁面の第１電極と第２リ−ド部材の先端部の第２電極との間に配置する。すなわち、導電性および弾性を有する長手方向に延びた２枚の舌片からなる平板ばねは、一端を固定して第２リ−ド部材の第２電極と電気機械的に結合し、他端を２枚の舌片が開脚自在にした平板ばねであり、この舌片状平板の間に開脚側から感温ペレットを挾み込むことで押圧を作用させて感温ペレットを保持し、同時に舌片状平板の裏面を金属ケ−ス内壁面の第１電極に接触させる。したがって、常温の平常時は平板ばねを介して導電状態が維持されるが、周囲温度が特定の温度以上に上昇すると感温ペレットが溶融し平板ばねが圧縮力で縮まってケ−ス内壁面との接触が断たれ、第１および第２リ−ド部材間の電気回路を遮断することになる。
ここで、熱可塑性樹脂に、例えばポリアセタ−ル（ＰＯＭ）樹脂、ポリブチレンテレフタレ−ト（ＰＢＴ）樹脂を選定したところ、温度ヒュ−ズの動作する温度をサンプル数各１０ｐｃｓで測定したところ、各々１６０．５〜１６２．５℃、２２５〜２２７℃で動作し、また動作温度のバラツキはΔＴ＝２℃であることが確認されている。この実施例は温度ヒュ−ズを構成する部品を少なくして構造を簡素化する上で、感温ペレットの熱可塑性樹脂による強度性を効果的に発揮する。